(57)【要約】【課題】メッシュパターンの視認性を低減し、最終の電極パターンによるモアレ現象を防止することができるタッチセンサおよびこれを含むディスプレイ装置を提供する。【解決手段】本発明のタッチセンサは、ベース基板と、前記ベース基板の一面に形成される電極パターンと、を含み、前記電極パターンは、複数個の単位メッシュパターン２０ａを含むメッシュパターンからなり、単位メッシュパターン２０ａは、互いに対向する第１辺ａ１および第２辺ｂ１を含む長方形に形成され、単位メッシュパターン２０ａの中心点を通過する水平線と第１辺ａ１がなす鋭角θ１と、単位メッシュパターン２０ａの中心点を通過する水平線と第２辺ｂ１がなす鋭角θ２と、が互いに異なるように形成され、第１辺ａ１が前記電極パターン上に一方向に形成される間隔の周期をＴ１、第２辺ｂ１が前記電極パターン上に一方向に形成される間隔の周期をＴ２としたとき、周期Ｔ１の値とＴ２の値が互いに異なるように形成されるものである。【選択図】図２
2015153425.tif 000002
【特許請求の範囲】
【請求項１】
ベース基板と、
前記ベース基板の一面に形成される電極パターンと、を含み、
前記電極パターンは、複数個の単位メッシュパターンを含むメッシュパターンからなり、
前記単位メッシュパターンは、互いに対向する第１辺および第２辺を含む長方形に形成され、前記単位メッシュパターンの中心点を通過する水平線と前記第１辺がなす鋭角θ１と、前記単位メッシュパターンの中心点を通過する水平線と前記第２辺がなす鋭角θ２と、が互いに異なるように形成され、
前記第１辺が前記電極パターン上に一方向に形成される間隔の周期をＴ１、前記第２辺が前記電極パターン上に一方向に形成される間隔の周期をＴ２としたとき、前記周期Ｔ１の値とＴ２の値が互いに異なるように形成される、タッチセンサ。
【請求項２】
前記θ１とθ２との和が６０゜〜１２０゜に形成される、請求項１に記載のタッチセンサ。
【請求項３】
前記第１辺が前記電極パターン上に一方向に形成される間隔の周期Ｔ１の逆数をＦ１、前記第２辺が前記電極パターン上に一方向に形成される間隔の周期Ｔ２の逆数をＦ２としたとき、１５＜Ｆ１、１５＜Ｆ２の関係式を満たす、請求項１に記載のタッチセンサ。
【請求項４】
前記単位メッシュパターンをなす金属細線の幅ｄが、１μｍ〜１０μｍに形成される、請求項１に記載のタッチセンサ。
【請求項５】
請求項１に記載のタッチセンサと、
前記タッチセンサの前記ベース基板の他面に形成されるディスプレイ部と、を含み、
前記ディスプレイ部に形成されたピクセルが一方向に形成される間隔の周期Ｔｓの逆数をＦｓとし、前記第１辺が前記電極パターン上に一方向に形成される間隔の周期Ｔ１の逆数をＦ１、前記第２辺が前記電極パターン上に一方向に形成される間隔の周期Ｔ２の逆数をＦ２としたとき、１５＜Ｆ１、１５＜Ｆ２およびＦ１＞Ｆｓ／３、Ｆ２＞Ｆｓ／３
の関係式を満たす、ディスプレイ装置。
【請求項６】
ベース基板と、
前記ベース基板の一面に形成された第１電極パターンと、
前記ベース基板の他面に形成され、前記第１電極パターンと交差する方向に形成される第２電極パターンと、を含み、
前記第１電極パターンは、複数個の第１単位メッシュパターンを含み、前記第２電極パターンは、複数個の第２単位メッシュパターンを含み、前記第１単位メッシュパターンおよび前記第２単位メッシュパターンは、互いに対向する第１辺および第２辺を含む長方形に形成され、
前記第１単位メッシュパターンおよび前記第２単位メッシュパターンの中心点を通過する水平線と前記第１辺がなす鋭角θ１と、前記水平線と前記第２辺がなす鋭角θ２と、が互いに異なるように形成され、
前記第１辺が前記第１電極パターンまたは前記第２電極パターン上に一方向に形成される間隔の周期をＴ１、前記第２辺が前記第１電極パターンまたは前記第２電極パターン上に一方向に形成される間隔の周期をＴ２としたとき、前記周期Ｔ１の値とＴ２の値が互いに異なるように形成される、タッチセンサ。
【請求項７】
前記第１単位メッシュパターンと前記第２単位メッシュパターンは、互いに対応するように同じ形状に形成される、請求項６に記載のタッチセンサ。
【請求項８】
前記第１電極パターンと前記第２電極パターンが交差する領域において、前記第１電極パターンと前記第２電極パターンに含まれた前記第１単位メッシュパターンと前記第２単位メッシュパターンが、互いに対応するように同じパターンに形成される、請求項６に記載のタッチセンサ。
【請求項９】
前記θ１とθ２との和が６０゜〜１２０゜に形成される、請求項６に記載のタッチセンサ。
【請求項１０】
前記第１辺が前記第１電極パターンまたは前記第２電極パターン上に一方向に形成される間隔の周期Ｔ１の逆数をＦ１、前記第２辺が前記第１電極パターンまたは前記第２電極パターン上に一方向に形成される間隔の周期Ｔ２の逆数をＦ２としたとき、１５＜Ｆ１、１５＜Ｆ２の関係式を満たす、請求項６に記載のタッチセンサ。
【請求項１１】
請求項６に記載のタッチセンサと、
前記タッチセンサの前記ベース基板の他面に形成されるディスプレイ部と、を含み、
前記ディスプレイ部に形成されたピクセルが一方向に形成される間隔の周期Ｔｓの逆数をＦｓとし、前記第１辺が前記第１電極パターンまたは前記第２電極パターン上に一方向に形成される間隔の周期Ｔ１の逆数をＦ１、前記第２辺が前記第１電極パターンまたは前記第２電極パターン上に一方向に形成される間隔の周期Ｔ２の逆数をＦ２としたとき、１５＜Ｆ１、１５＜Ｆ２およびＦ１＞Ｆｓ／３、Ｆ２＞Ｆｓ／３の関係式を満たす、ディスプレイ装置。
【発明の詳細な説明】
【技術分野】
【０００１】
本発明は、タッチセンサおよびこれを含むディスプレイ装置に関する。
【背景技術】
【０００２】
デジタル技術を用いるコンピュータが発達するにつれて、コンピュータの補助装置もともに開発されており、パソコン、携帯用送信装置、その他の個人用の情報処理装置などは、キーボード、マウスなどの様々な入力装置（Ｉｎｐｕｔ  Ｄｅｖｉｃｅ）を用いてテキストおよびグラフィック処理を行う。
【０００３】
また、入力装置に関する技術は、一般的な機能を満たす水準を超えて、高信頼性、耐久性、革新性、設計および加工に関する技術などが注目されており、このような目的を達成するために、テキスト、グラフィックなどの情報入力が可能な入力装置として、タッチセンサ（ｔｏｕｃｈ  ｓｅｎｓｏｒ）が開発された。
【０００４】
一方、タッチセンサは、特許文献１のように、金属を用いて電極パターンを形成しようとする研究が活発に進んでいる。このように、金属で電極パターンを形成すると、電気伝導度に優れ、需給がスムーズになるという利点がある。
【先行技術文献】
【特許文献】
【０００５】
【特許文献１】韓国公開特許第２０１１−０１２０１５７号公報
【発明の概要】
【発明が解決しようとする課題】
【０００６】
本発明の一側面は、タッチセンサをなす電極パターンの視認性を低減してタッチセンサの視認性を向上させるためのものであって、電極パターンをなすメッシュパターンを形成する各辺の角度、メッシュパターンをなす各辺が連続して形成される隔離距離による周期値を調節することでタッチセンサの電極パターンの視認性を低減し、透過率をより効果的に確保するためのタッチセンサおよびこれを含むディスプレイ装置を提供することを目的とする。
【課題を解決するための手段】
【０００７】
本発明のタッチセンサ（第１のタッチセンサ）は、ベース基板と、前記ベース基板の一面に形成される電極パターンと、を含み、前記電極パターンは、複数個の単位メッシュパターンを含むメッシュパターンからなり、前記単位メッシュパターンは、互いに対向する第１辺および第２辺を含む長方形に形成され、前記単位メッシュパターンの中心点を通過する水平線と前記第１辺がなす鋭角θ１と、前記単位メッシュパターンの中心点を通過する水平線と前記第２辺がなす鋭角θ２と、が互いに異なるように形成され、前記第１辺が前記電極パターン上に一方向に形成される間隔の周期をＴ１、前記第２辺が前記電極パターン上に一方向に形成される間隔の周期をＴ２としたとき、前記周期Ｔ１の値とＴ２の値が互いに異なるように形成されるものである。
【０００８】
本発明のタッチセンサは、前記θ１とθ２との和が６０゜〜１２０゜に形成される。
【０００９】
本発明のタッチセンサは、前記第１辺が前記電極パターン上に一方向に形成される間隔の周期Ｔ１の逆数をＦ１、前記第２辺が前記電極パターン上に一方向に形成される間隔の周期Ｔ２の逆数をＦ２としたとき、１５＜Ｆ１、１５＜Ｆ２の関係式を満たす。
【００１０】
本発明のタッチセンサは、前記単位メッシュパターンをなす金属細線の幅ｄが、１μｍ〜１０μｍに形成される。
【００１１】
本発明のディスプレイ装置は、前記タッチセンサ（第１のタッチセンサ）と、前記タッチセンサのベース基板の他面に形成されるディスプレイ部と、を含み、前記ディスプレイ部に形成されたピクセルが一方向に形成される間隔の周期Ｔｓの逆数をＦｓとし、前記第１辺が前記電極パターン上に一方向に形成される間隔の周期Ｔ１の逆数をＦ１、前記第２辺が前記電極パターン上に一方向に形成される間隔の周期Ｔ２の逆数をＦ２としたとき、１５＜Ｆ１、１５＜Ｆ２およびＦ１＞Ｆｓ／３、Ｆ２＞Ｆｓ／３の関係式を満たすものである。
【００１２】
本発明のタッチセンサ（第２のタッチセンサ）は、ベース基板と、前記ベース基板の一面に形成された第１電極パターンと、前記ベース基板の他面に形成され、前記第１電極パターンと交差する方向に形成される第２電極パターンと、を含み、前記第１電極パターンは、複数個の第１単位メッシュパターンを含み、前記第２電極パターンは、複数個の第２単位メッシュパターンを含み、前記第１単位メッシュパターンおよび前記第２単位メッシュパターンは、互いに対向する第１辺および第２辺を含む長方形に形成され、前記第１単位メッシュパターンおよび第２単位メッシュパターンの中心点を通過する水平線と前記第１辺がなす鋭角θ１と、前記水平線と前記第２辺がなす鋭角θ２と、が互いに異なるように形成され、前記第１辺が前記第１電極パターンまたは前記第２電極パターン上に一方向に形成される間隔の周期をＴ１、前記第２辺が前記第１電極パターンまたは前記第２電極パターン上に一方向に形成される間隔の周期をＴ２としたとき、前記周期Ｔ１の値とＴ２の値が互いに異なるように形成されるものである。
【００１３】
本発明のタッチセンサは、前記第１単位メッシュパターンと前記第２単位メッシュパターンは、互いに対応するように同じ形状に形成される。
【００１４】
本発明のタッチセンサは、前記第１電極パターンと前記第２電極パターンが交差する領域において、前記第１電極パターンと前記第２電極パターンに含まれた第１単位メッシュパターンと前記第２単位メッシュパターンが、互いに対応するように同じパターンに形成される。
【００１５】
本発明のタッチセンサは、前記θ１とθ２との和が６０゜〜１２０゜に形成される。
【００１６】
本発明のタッチセンサは、前記第１辺が前記第１電極パターンまたは前記第２電極パターン上に一方向に形成される間隔の周期Ｔ１の逆数をＦ１、前記第２辺が前記第１電極パターンまたは前記第２電極パターン上に一方向に形成される間隔の周期Ｔ２の逆数をＦ２としたとき、１５＜Ｆ１、１５＜Ｆ２の関係式を満たす。
【００１７】
本発明のディスプレイ装置は、前記タッチセンサ（第２のタッチセンサ）と、前記タッチセンサのベース基板の他面に形成されるディスプレイ部と、を含み、前記ディスプレイ部に形成されたピクセルが一方向に形成される間隔の周期Ｔｓの逆数をＦｓとし、前記第１辺が前記第１電極パターンまたは前記第２電極パターン上に一方向に形成される間隔の周期Ｔ１の逆数をＦ１、前記第２辺が前記第１電極パターンまたは前記第２電極パターン上に一方向に形成される間隔の周期Ｔ２の逆数をＦ２としたとき、１５＜Ｆ１、１５＜Ｆ２およびＦ１＞Ｆｓ／３、Ｆ２＞Ｆｓ／３の関係式を満たすものである。
【発明の効果】
【００１８】
本発明によれば、タッチセンサをなす電極パターンの視認性を低減するために、電極パターン内に含まれたメッシュパターンの形成角度、所定方向を基準とする形成周期およびタッチセンサと結合するディスプレイ部のピクセルなどとの関係を効果的に設計することで、具現することができる。
【００１９】
また、本発明によれば、電極パターンに含まれたメッシュパターンをなす多角形が形成される角度や、多角形が所定方向に配列される基準を調節して、メッシュパターンの視認性を低減し、最終の電極パターンによるモアレ現象を防止することができる。
【００２０】
さらに、本発明によれば、電極パターン間または電極パターンおよびディスプレイ部と重なって視認される領域におけるモアレ現象を防止し、電極パターン自体の視認性を低減するために、電極パターンおよびディスプレイ部のピクセルパターンの形態を形成角度と周期により効果的に調節することができる。
【図面の簡単な説明】
【００２１】
【図１】本発明の一実施例によるタッチセンサの断面図である。
【図２】本発明の一実施例によるメッシュパターンの電極パターンの部分平面図である。
【図３】本発明の一実施例によるディスプレイ部のピクセルの一部平面図である。
【図４】本発明の一実施例によるディスプレイ装置の断面図である。
【図５】図４の電極パターンの平面図である。
【図６】本発明の他の実施例によるディスプレイ装置の断面図である。
【図７】本発明のさらに他の実施例によるディスプレイ装置の断面図である。
【発明を実施するための形態】
【００２２】
本発明の目的、特定の長所および新規の特徴は添付図面に係る以下の詳細な説明および好ましい実施例によってさらに明らかになるであろう。本明細書において、各図面の構成要素に参照番号を付け加えるに際し、同一の構成要素に限っては、たとえ異なる図面に示されても、できるだけ同一の番号を付けるようにしていることに留意しなければならない。また、「一面」、「他面」、「第１」、「第２」などの用語は、一つの構成要素を他の構成要素から区別するために用いられるものであり、構成要素が前記用語によって限定されるものではない。以下、本発明を説明するにあたり、本発明の要旨を不明瞭にする可能性がある係る公知技術についての詳細な説明は省略する。
【００２３】
以下、添付図面を参照して本発明の好ましい実施例を詳細に説明する。
【００２４】
図１は本発明の一実施例によるタッチセンサの断面図であり、図２は本発明の一実施例によるメッシュパターンの電極パターンの部分平面図であり、図３は本発明の一実施例によるディスプレイ部のピクセルの一部平面図である。
【００２５】
本発明の一実施例によるタッチセンサは、ベース基板１０と、前記ベース基板１０の一面に形成される電極パターン２０と、を含み、前記電極パターン２０は、複数個の単位メッシュパターン２０ａを含むメッシュパターンからなり、前記単位メッシュパターン２０ａは、互いに対向する第１辺および第２辺を含む長方形に形成され、前記単位メッシュパターン２０ａの中心点を通過する水平線と前記第１辺がなす鋭角θ１と、前記単位メッシュパターン２０ａの中心点を通過する水平線と前記第２辺がなす鋭角θ２と、が互いに異なるように形成されることができる。
【００２６】
タッチセンサのベース基板１０は、所定強度以上を有する材質として、透過率が８５％以上のものとして、ディスプレイ部５０の映像が出力されることができるものであれば特に限定されず、ポリエチレンテレフタレート（ＰＥＴ）、ポリカーボネート（ＰＣ）、ポリメチルメタクリレート（ＰＭＭＡ）、ポリエチレンナフタレート（ＰＥＮ）、ポリエーテルスルフォン（ＰＥＳ）、環状オレフィンコポリマー（ＣＯＣ）、トリアセチルセルロース（Ｔｒｉａｃｅｔｙｌｃｅｌｌｕｌｏｓｅ；ＴＡＣ）フィルム、ポリビニルアルコール（Ｐｏｌｙｖｉｎｙｌ  ａｌｃｏｈｏｌ；ＰＶＡ）フィルム、ポリイミド（Ｐｏｌｙｉｍｉｄｅ；ＰＩ）フィルム、ポリスチレン（Ｐｏｌｙｓｔｙｒｅｎｅ；ＰＳ）、二軸延伸ポリスチレン（Ｋ樹脂含有ｂｉａｘｉａｌｌｙ  ｏｒｉｅｎｔｅｄ  ＰＳ；ＢＯＰＳ）、ガラスまたは強化ガラスなどで形成することが好ましい。また、ベース基板１０の一面には電極パターン２０が形成されることができるため、ベース基板１０と電極パターン２０との接着力を向上させるために、ベース基板１０の一面に高周波処理またはプライマー（ｐｒｉｍｅｒ）処理などを施して表面処理層を形成することができる。
【００２７】
電極パターン２０は、ベース基板１０の一面に形成されることができる。本発明の一実施例によるタッチセンサは、ベース基板１０の一面上で互いに交差する第１電極パターン２１と第２電極パターン２２が同時に形成されてもよく、ベース基板１０の一面および他面にそれぞれ第１電極パターン２１と第２電極パターン２２が形成されてもよい。また、第１ベース基板１１の一面に第１電極パターン２１を形成し、別の第２ベース基板１２上に第２電極パターン２２を形成することでタッチセンサを具現することができることは言うまでもない（ここで、電極パターン２０は、金属細線３０からなるメッシュパターンからなることが好ましく、そのメッシュパターンをなす形状は長方形などの形状に具現することができ、本発明の一実施例では、長方形の単位メッシュパターン２０ａからなる電極パターン２０を基準として説明する。電極パターン２０は、銅（Ｃｕ）、アルミニウム（Ａｌ）、金（Ａｕ）、銀（Ａｇ）、チタン（Ｔｉ）、パラジウム（Ｐｄ）、クロム（Ｃｒ）、ニッケル（Ｎｉ）またはこれらの合金からなる群から選択される少なくとも一つ以上のものでメッシュパターン（Ｍｅｓｈ  Ｐａｔｔｅｒｎ）を形成することができる。
【００２８】
一方、電極パターン２０は、上述した金属以外にも銀塩乳剤層を露光／現像して形成された金属銀、ＩＴＯ（Ｉｎｄｉｕｍ  Ｔｉｎ  Ｏｘｉｄｅ）などの金属酸化物や、柔軟性に優れ、コーティング工程が単純なＰＥＤＯＴ／ＰＳＳなどの伝導性高分子を用いて形成してもよい。
【００２９】
電極パターン２０は、乾式工程、湿式工程またはダイレクト（ｄｉｒｅｃｔ）パターニング工程により形成することができる。ここで、乾式工程は、スパッタリング（Ｓｐｕｔｔｅｒｉｎｇ）、蒸着（Ｅｖａｐｏｒａｔｉｏｎ）などを含み、湿式工程は、ディップコーティング（Ｄｉｐ  ｃｏａｔｉｎｇ）、スピンコーティング（Ｓｐｉｎ  ｃｏａｔｉｎｇ）、ロールコーティング（Ｒｏｌｌ  ｃｏａｔｉｎｇ）、スプレーコーティング（Ｓｐｒａｙ  ｃｏａｔｉｎｇ）などを含み、ダイレクトパターニング工程は、スクリーン印刷法（Ｓｃｒｅｅｎ  Ｐｒｉｎｔｉｎｇ）、グラビア印刷法（Ｇｒａｖｕｒｅ  Ｐｒｉｎｔｉｎｇ）、インクジェット印刷法（Ｉｎｋｊｅｔ  Ｐｒｉｎｔｉｎｇ）などを含む。
【００３０】
また、フォトリソグラフィを用いて、基板上の電極パターン２０上に感光物質を塗布し、所望のパターンに形成されたマスクを用いて光を照射する。この際、光を受けた感光物質部分を現像液で除去するか、光を受けていない部分を現像液で除去するなど、所望のパターンを形成するための現像工程を行う。次に、感光物質が特定のパターンに形成され、感光物質をレジストとし、エッチング液で残りの部分を除去してから感光物質を除去すると、所望のパターンの電極パターン２０を作製することができる。
【００３１】
図２に示すように、電極パターン２０は、複数個の単位メッシュパターン２０ａからなることができる。ここで、単位メッシュパターン２０ａは、互いに対向する第１辺ａ１および第２辺ａ２を含む長方形に形成されることができ、前記単位メッシュパターン２０ａの中心点を通過する水平線（図面におけるＸ軸方向を水平線とする）と前記第１辺がなす鋭角θ１と、前記単位メッシュパターン２０ａの中心点を通過する水平線と前記第２辺がなす鋭角θ２と、が互いに異なるように形成されることができる。このように、それぞれ互いに異なる鋭角を有する二つの辺ａ１、ｂ１でそれぞれ対向する長方形のメッシュパターンを形成することで、金属細線３０が交差する点によって発生しうる電極パターン２０の視認問題を解決することができる。例えば、θ１、θ２が３０゜以下または６０゜以上の場合、メッシュパターンの金属細線３０が交差するパターン上における交差点が大きくなって視認性を増加させる問題点があるが、θ１、θ２が互いに異なる角度を有するようにしてメッシュパターンを形成することで、かかる問題を改善できるという利点がある。
【００３２】
特に、前記θ１とθ２との和は６０゜〜１２０゜に形成することができる。その和が６０゜未満に形成される場合には、交差点による視認によって電極パターン２０の視認性が低減する問題が生じる可能性があり、その角度の和が１２０゜を超える場合には、全体的な電極パターン２０の透過率が低減してタッチセンサを効果的に具現できない問題が生じる可能性があるためである。
【００３３】
また、電極パターン２０を形成しているメタルの視認性、すなわち人間の目の認知力は、周波数が高いほどＣＳＦ（ｃｏｎｔｒａｓｔ  ｓｅｎｓｉｔｉｖｉｔｙ  ｆｕｎｃｔｉｏｎ）により低下するため、いずれか一つの方向に配列される複数個の単位メッシュパターン２０ａを高周波に配列する。この際、周期（Ｔ：ピッチ）の改善するに伴い発生する透過率の改善のために他の方向に配列される複数個の単位メッシュパターン２０ａを低周波（ｌｏｗ  ｆｒｅｑｕｅｎｃｙ）に配列することができ、メタルラインの視認性と透過率の両方を考慮できるという利点がある。
【００３４】
具体的には、本発明の一実施例による周期（Ｔ）と角度（θ）を以下のような実施例で具現することにより、効果的な電極パターン２０を形成することができる。
【００３５】
【表１】
2015153425.tif 000003
【００３６】
具体的に、単位メッシュパターン２０ａ上に一側に互いに対向する第１辺間の間隔周期Ｔ１と、他側方向に互いに対向する第２辺間の間隔周期Ｔ２と、は、互いに異なるように形成される。すなわち、各周期が互いに異なるように設計されることでメッシュパターンの全体的な視認性を低減し、電極パターン間またはピクセルパターンおよび電極パターンの重なりよって視認されうるディスプレイ部のピクセルパターンなどとのモアレ現象を防止することができる。
【００３７】
また、単位メッシュパターン２０ａ上に一側に互いに対向する第１辺間の間隔周期Ｔ１と、他側方向に互いに対向する第２辺間の間隔周期Ｔ２のそれぞれの逆数をそれぞれＦ１、Ｆ２としたとき、タッチセンサの電極パターンは、１５＜Ｆ１、１５＜Ｆ２を満たすように形成される。Ｆ１が１５以下の値に形成され、Ｆ２値が１５以上に形成される場合には、複数の単位メッシュパターン２０ａと結合する後述のディスプレイ部５０のピクセル５１間でモアレ現象が生じることがあり、電極パターン２０の視認および透過率の低下の問題が生じうる。
【００３８】
また、タッチセンサに結合するディスプレイ部５０上に形成されたピクセルの周期をＴｓ、周期Ｔｓの逆数をＦｓとしたとき、Ｆ１＞Ｆｓ／３、Ｆ２＞Ｆｓ／３を満たす。
【００３９】
また、１５＜Ｆ１、１５＜Ｆ２とＦ１＞Ｆｓ／３、Ｆ２＞Ｆｓ／３を同時に満たすように電極パターン２０を形成してもよいことは言うまでもない。
【００４０】
各場合のかかる関係式によると、各辺と水平線（図２のＸ軸方向の水平線）がなす互いに異なる鋭角θ１、θ２によるパターンとともに、一方向に連続する単位メッシュパターン２０ａの各金属細線３０の間隔周期Ｔ１、Ｔ２およびタッチセンサに結合するディスプレイ部５０の単位ピクセルの間隔周期Ｔｓが互いに対応するように効果的に設計することで、タッチセンサの電極パターン２０の視認性を低減し、タッチセンサをディスプレイ部５０と結合する際に発生しうるモアレ現象をより効果的に防止することで、タッチセンサの視認性をより向上させることができる。
【００４１】
上述した単位メッシュパターン２０ａ上の各辺および水平線がなす鋭角θ１、θ２または周期Ｔ１、Ｔ２のそれぞれの要件を選択的に満たすか、それぞれの要件すべてを同時に満たすことで、メッシュパターンからなる電極パターン２０の視認性およびモアレ現象の発生をより効果的に低減することができる。
【００４２】
図４は本発明の一実施例によるディスプレイ装置の断面図であり、図５は図４の電極パターン２０の平面図であり、図６は本発明の他の実施例によるディスプレイ装置の断面図であり、図７は本発明のさらに他の実施例によるディスプレイ装置の断面図である。
【００４３】
図４および図５に示すように、本発明の様々な実施例のうち、ベース基板１０の一面および他面に第１電極パターン２１と第２電極パターン２２がそれぞれ形成されることができる。第１電極パターン２１と第２電極パターン２２は、それぞれセンシング電極と駆動電極に形成されることができ、互いに交差するように形成されることができる。第１電極パターン２１は、複数個の第１単位メッシュパターン２１ａからなり、第２電極パターン２２は、複数個の第２単位メッシュパターン２２ａからなることができる。上述した単位メッシュパターン２０ａの周期および単位メッシュパターン２０ａの辺と水平線がなす角度の条件が、第１単位メッシュパターン２１ａと第２単位メッシュパターン２２ａの形状および配列の関係に同様に適用されることができるため、これに関する具体的な説明は省略する。ここで、前記第１単位メッシュパターン２１ａと前記第２単位メッシュパターン２２ａは、互いに対応する形状に同様に形成されることができる。
【００４４】
また、前記第１電極パターン２１と前記第２電極パターン２２が交差する領域において、前記第１電極パターン２１と前記第２電極パターン２２に含まれた第１単位メッシュパターン２１ａと前記第２単位メッシュパターン２２ａが互いに対応するように同じパターンに形成されることができる。すなわち、第１電極パターン２１と第２電極パターン２２が交差する領域内の第１電極パターン２１と第２電極パターン２２が重なる部分において視認性を低減し、モアレ現象を防止するために、第１電極パターン２１と第２電極パターン２２が重なる領域で第１および第２単位メッシュパターンが整合されるように形成する。
【００４５】
ベース基板１０の両面に第１電極パターン２１と第２電極パターン２２が形成され、ベース基板１０の一側方向にディスプレイが結合されることができる。ユーザによって視認されるベース基板１０の他側方向にウィンドウ基板１０ａをさらに含むことができる。ウィンドウ基板１０ａは、上述したベース基板１０と類似の材質からなってもよく、電極パターンの保護およびタッチセンサの剛性を考慮して、強化ガラスなどの強度を有する材質を選択して適用してもよい。
【００４６】
ディスプレイ部５０は、映像装置としてＬＣＤ、ＯＬＥＤなど様々なディスプレイ装置が含まれることができ、特別な種類の装置に限定されるものではない。ただし、複数個のピクセルを含むディスプレイ装置について本発明の一実施例において説明しており、前記ディスプレイ装置の関連構成は、当業者により容易に変更されることができる。
【００４７】
図６に示すように、本発明の他の実施例によるタッチセンサおよびこれを含むディスプレイ装置は、ウィンドウ基板１０ａ上に電極パターン２０を形成してタッチセンサを具現することができる。すなわち、ユーザによって視認されるウィンドウ基板１０ａの一面の反対面に第１電極パターン２１を形成し、別のベース基板１０上に第１電極パターン２１と交差する第２電極パターン２２を形成することができる。第１電極パターン２１が形成されたウィンドウ基板１０ａと第２電極パターン２２が形成されたベース基板１０は、それぞれ接着層４０により結合することができる。第２電極パターン２２上には接着層４０によりディスプレイ部５０を結合することができる。接着層４０は、タッチセンサの透過率を考慮して、透明接着層であるＯＣＡからなる。しかし、接着層４０の材料は、接着層４０の特性に適合する限り、特に限定されるものではない。
【００４８】
また、図７に示すように、本発明のさらに他の実施例によるタッチセンサおよびディスプレイ装置は、第１ベース基板１１の一面に第１電極パターン２１を形成し、別の第２ベース基板１２の一面に第１電極パターン２１と交差する第２電極パターン２２を形成することができる。第１電極パターン２１が形成された第１ベース基板１１の一側方向に接着層４０によるウィンドウ基板１０ａを結合し、第２電極パターン２２が形成された第２ベース基板の他側方向にディスプレイ部５０を結合することができることは言うまでもない。
【００４９】
互いに異なる構造を有する本発明の実施例によるタッチセンサが図６および図７に示されている。かかるタッチセンサに含まれる第１電極パターン２１および第２電極パターン２２と、第１電極パターン２１をなす複数個の第１単位メッシュパターン２１ａおよび第２電極パターン２２をなす第２単位メッシュパターン２２ａは、上述した電極パターン２０および単位メッシュパターン２０ａと類似しているため説明の重複を避けるために、これに関する詳細な説明は省略する。
【００５０】
以上、本発明を具体的な実施例に基づいて詳細に説明したが、これは本発明を具体的に説明するためのものであり、本発明はこれに限定されず、該当分野における通常の知識を有する者であれば、本発明の技術的思想内にての変形や改良が可能であることは明白であろう。
【００５１】
本発明の単純な変形乃至変更はいずれも本発明の領域に属するものであり、本発明の具体的な保護範囲は添付の特許請求の範囲により明確になるであろう。
【産業上の利用可能性】
【００５２】
本発明は、タッチセンサおよびこれを含むディスプレイ装置に適用可能である。
【符号の説明】
【００５３】
１０  ベース基板
１０ａ  ウィンドウ基板
１１  第１ベース基板
１２  第２ベース基板
２０  電極パターン
２１  第１電極パターン
２２  第２電極パターン
２０ａ  単位メッシュパターン
２１ａ  第１単位メッシュパターン
２２ａ  第２単位メッシュパターン
３０  金属細線
ａ１  第１辺
ｂ１  第２辺
４０  接着層
５０  ディスプレイ部
５１  ピクセル
【図１】
2015153425.tif 000004
【図２】
2015153425.tif 000005
【図３】
2015153425.tif 000006
【図４】
2015153425.tif 000007
【図５】
2015153425.tif 000008
【図６】
2015153425.tif 000009
【図７】
2015153425.tif 000010